(57)【要約】【解決手段】本発明の熱交換器を備えた空気調和装置は、室内の空気を吸入して室外に排出し、室外の空気を吸入して室内に排出するとともに、室内及び室外に吸入及び排気される空気間に熱と湿気を交換させるための空気調和装置であって、中空の筒状体であり、長手方向の両側面にそれぞれ吸排気貫通孔が形成されており、一方は室内に連通し、他方は室外に連通するように配置されるハウジングと、ハウジングの内部に設置され、ハウジングの内部を流れる空気の熱及び湿気を吸収するか、または吸収された熱及び湿気を放出する熱・湿気交換手段と、ハウジングの内部に室内側から空気を吸入して室外側に排出するように設けられた第１のファンと、ハウジングの内部に室外側から空気を吸入して室内側に排出するように設けられた第２のファンと、ハウジングの室外側に設置された第１の温度センサと、室内に設置されるための第２の温度センサと、第１の温度センサ及び第２の温度センサの出力値を入力され、温度差を演算し、定められた温度差の範囲内にある場合、第１のファンと第２のファンを交互に一定時間の間動作させる制御部と、を備えることを特徴とする。
2007510885.tif 000002
【特許請求の範囲】
【請求項１】
室内の空気を吸入して室外に排出し、室外の空気を吸入して室内に排出するとともに、室内及び室外に吸入及び排気される空気間に熱と湿気を交換させるための空気調和装置であって、
中空の筒状体であり、長手方向の両側面にそれぞれ吸排気貫通孔が形成されており、一方は室内に連通し、他方は室外に連通するように配置されるハウジングと、
前記ハウジングの内部に設置され、ハウジングの内部を流れる空気の熱及び湿気を吸収するか、または吸収された熱及び湿気を放出する熱・湿気交換手段と、
前記ハウジングの内部に室内側から空気を吸入して室外側に排出するように設けられた第１のファンと、
前記ハウジングの内部に室外側から空気を吸入して室内側に排出するように設けられた第２のファンと、
前記ハウジングの室外側に設置された第１の温度センサと、
室内に設置されるための第２の温度センサと、
前記第１の温度センサ及び第２の温度センサの出力値が入力され、温度差を演算し、定められた温度差の範囲内にある場合、前記第１のファンと第２のファンとを交互に一定時間の間動作させる制御部と
を備えることを特徴とする空気調和装置。
【請求項２】
前記熱・湿気交換手段が、一定の形状に成形された木炭であることを特徴とする
請求項１に記載の空気調和装置。
【請求項３】
前記ハウジングの内部から熱・湿気の流出及び結露を防止するために、ハウジングに取り付けられた保温材と、
前記ハウジングを収容するためのカバーとをさらに備えることを特徴とする
請求項１に記載の空気調和装置。
【請求項４】
前記制御部が、前記室外側の温度センサから入力された温度値が設定値未満である場合、前記第１のファンと第２のファンを動作させないことを特徴とする
請求項１に記載の空気調和装置。
【請求項５】
前記熱交換手段が、前記第１のファンと第２のファンとの間に設けられていることを特徴とする
請求項１乃至４のいずれか一項に記載の空気調和装置。
【請求項６】
前記制御部が、外部から設定信号が入力されると、前記第１のファンまたは第２のファンのいずれか一つを一定時間の間強制的に動作させることを特徴とする
請求項５に記載の空気調和装置。
【請求項７】
複数の空気調和装置と、前記それぞれの空気調和装置のファンの回転速度を調節するための命令をそれぞれの空気調和装置の制御部に伝送するための制御ユニットとを備えた室内温度及び湿度調節システムの制御方法であって、
前記複数の空気調和装置は、請求項１乃至６のいずれか一項に記載の前記複数の空気調和装置であり、
前記制御ユニットにおいて、前記複数の空気調和装置のうち、室内に空気を吸気中の装置と室外に空気を排気中の装置を認識するステップと、
前記単位時間に吸入される空気量と排出される空気量が同一になるように、それぞれの空気調和装置のファンの回転速度を演算するステップと、
前記演算された回転速度に対応する命令をそれぞれの空気調和装置の制御部に伝送するステップとを含むことを特徴とする
室内温度及び湿度調節システムの制御方法。
【請求項８】
前記複数の空気調和装置が、厨房用空気排出器を含むことを特徴とする
請求項７に記載の室内温度及び湿度調節システムの制御方法。
【発明の詳細な説明】
【技術分野】
【０００１】
本発明は、熱・湿気交換手段を備えた空気調和装置、並びに複数の空気調和装置の制御方法に関し、より詳しくは、吸気及び排気のためのそれぞれのファンが設けられ、前記それぞれのファンの駆動周期または回転速度を、室内と室外の温度差に応じて制御する空気調和装置と、前記空気調和装置が複数配置された空間において、吸気及び排気される空気量が同一になるように制御する室内温度及び湿度調節システムの制御方法に関する。
【背景技術】
【０００２】
最近、周辺環境と建物の内部環境の独立性を確保し、またはエネルギーの浪費を抑制するために、建物の内部を外部環境と遮断して、密閉性の高い建物を建築している。このように建物の密閉性を高めると、自然な換気が難しくなり、別途の換気施設を必要とするが、過去の窓を通じた換気方式は、室内の空気を排出させ、室外の空気を室内に流入する際に、室外の冷・熱気がそのまま室内に流入するため、季節によって室内の温度差が大きい場合、エネルギーの損失が発生するという問題点があった。
【０００３】
このような問題点を解決するために、室内に流入または排出される空気に含まれているエネルギーを回収しながら換気させることができる全熱交換器を用いた換気システムが提案されているが、前記全熱交換器を用いた換気システムを示した図１と、全熱交換器の構造を示す図２とを参照して、従来の換気システムについて説明する。
【０００４】
図２に示すように、前記全熱交換器２００は、所定形状のケースの一方には、室内の空気を流入するための排気流入口２８０と、室外の空気を室内に供給するための外気流出口２７０とが形成され、前記ケースの他方には、室外の空気を流入するための外気流入口２５０と、室内の空気を室外に排出するための排気流出口２６０とが形成され、前記ケースの内側空間は、隔壁によって４つの空間に分けられ、前記隔壁が交差するケースの中央部には、外部に排出される室内空気と室外から流入する空気との熱交換のための熱交換ユニット２１０が設けられ、排気ファン２２０及び給気ファン２３０をそれぞれ備えている。
【０００５】
前記全熱交換器２００は、図１に示すように、建物の上部に形成された天井部の一方に設けられ、前記全熱交換器２００の排気流入口２８０は、室外に排気される空気の流通路である排気ダクト２３０と連結され、前記排気ダクト２３０は、各室内１００、１１０、１２０、１３０の天井部に設けられた排気口２１０に連通する構造で設置される。
【０００６】
一方、前記全熱交換器２００の外気流出口２７０は、室内に流入する空気の流通路である給気ダクト２４０に連結され、前記給気ダクト２４０は、各室内１００、１１０、１２０、１３０の天井部に設けられた給気口２２０に連通する構造で設置される。
【０００７】
すなわち、前記全熱交換器２００の排気流入口２８０と外気流出口２７０は、排気ダクト２３０及び給気ダクト２４０によって室内空間に連結され、前記全熱交換器２００の外気流入口２５０と排気流出口２６０は、室外空間に連結される。これにより、室内空気の換気のために、前述した換気システムを稼動させると、外部空気を流入するときとは室内空気を排出させる経路が相異なる作動を行う。
【０００８】
このように、従来の全熱交換器２００を用いた換気システムは、大型であり、複雑な排気ダクト２３０及び給気ダクト２４０の構成が必要であり、前記排気ダクト２３０及び給気ダクト２４０を設置するために、一定の高さ以上の天井高を必ず確保しなければならないという問題点があった。また、前記全熱交換器２００の熱回収機能を除いた自然換気のみを所望の場合、バイパス機能を行うためには、全熱交換器２００を複雑に構成するしかないという問題点があった。また、前記全熱交換器２００は、装置価格が相当に高価であり、メンテナンスが難しいという問題点もあった。
【発明の開示】
【０００９】
本発明は、上記問題点に鑑みなされたものであって、建物の天井に複雑に設置されるダクトが必要なく、建物の側壁に直接設置することができ、メンテナンスが容易でかつコンパクトな換気手段によって、室内空気を換気させるとともに、廃熱を回収することができる無ダクト方式の廃熱回収換気システムを提供することを目的とする。
【００１０】
また、吸気及び排気される空気の熱及び湿度を吸収または放出するために、木炭を用いて、空気の熱及び湿度を吸収または放出する空気調和装置を提供することを他の目的とする。
【００１１】
また、室内と室外の温度差によって、吸気及び排気ファンの駆動周期または回転速度を調節する空気調和装置を提供することをさらに他の目的とする。
【００１２】
また、上述したような空気調和装置が複数設置された室内温度及び湿度調節システムにおいて、それぞれの空気調和装置を制御する方法を提供することをさらに他の目的とする。
【００１３】
上記の目的を達成するため、本発明による熱・湿気交換手段を備えた空気調和装置は、室内の空気を吸入して室外に排出し、室外の空気を吸入して室内に排出するとともに、室内及び室外に吸入及び排出される空気間に熱と湿気を交換させるための空気調和装置であって、中空の筒状体であり、長手方向の両側面にそれぞれ吸排気貫通孔が形成されており、一方は室内に連通し、他方は室外に連通するように配置されるハウジングと、前記ハウジングの内部に設置され、ハウジングの内部を流れる空気の熱及び湿気を吸収するか、または吸収された熱及び湿気を放出する熱・湿気交換手段と、前記ハウジングの内部に室内側から空気を吸入して室外側に排出するように設けられた第１のファンと、前記ハウジングの内部に室外側から空気を吸入して室内側に排出するように設けられた第２のファンと、前記ハウジングの室外側に設置された第１の温度センサと、室内に設置されるための第２の温度センサと、前記第１の温度センサ及び第２の温度センサの出力値を入力され、温度差を演算し、定められた温度差の範囲内にある場合、前記第１のファンと第２のファンを交互に一定時間の間動作させる制御部と、を備えることを特徴とする。
【００１４】
前記熱・湿気交換手段が、一定の形状に成形された木炭であることを特徴とする。
【００１５】
前記ハウジングの内部から熱・湿気の流出及び結露を防止するために、ハウジングに取り付けられた保温材と、前記ハウジングを収容するためのカバーとをさらに備えることを特徴とする。
【００１６】
前記制御部が、前記室外側の温度センサから入力された温度値が設定値未満である場合、前記第１のファンと第２のファンを動作させないことを特徴とする。
【００１７】
前記熱交換手段が、前記第１のファンと第２のファンとの間に設けられていることを特徴とする。
【００１８】
前記制御部が、外部から設定信号が入力されると、前記第１のファンまたは第２のファンのいずれか一つを一定時間の間強制的に動作させることを特徴とする。
【００１９】
また、本発明による複数の空気調和装置を用いた室内温度及び湿度調節システムの制御方法は、前記複数の空気調和装置と、前記それぞれの空気調和装置のファンの回転速度を調節するための命令をそれぞれの空気調和装置の制御部に伝送するための制御ユニットとを備えた室内温度及び湿度調節システムの制御方法であって、前記制御ユニットにおいて、前記複数の空気調和装置のうち、室内に空気を吸気中の装置と室外に空気を排気中の装置を認識するステップと、前記単位時間に吸入される空気量と排出される空気量が同一になるように、それぞれの空気調和装置のファンの回転速度を演算するステップと、前記演算された回転速度に対応する命令をそれぞれの空気調和装置の制御部に伝送するステップと、を含むことを特徴とする。
【００２０】
前記複数の空気調和装置が、厨房用空気排出器を含むことを特徴とする。
【発明を実施するための最良の形態】
【００２１】
以下、本発明の好適な実施の形態を、添付図面に基づいて詳しく説明する。
【００２２】
図３は、本発明の実施の形態による空気調和装置が設置された様子を示す設置状態図であり、図４は、本発明の第１の実施の形態による空気調和部の構造を示す概略断面図であり、図５は、本発明の第２の実施の形態による空気調和部の構造を示す概略断面図であり、図６は、本発明による複数の空気調和部が設置された状態を示す図である。
【００２３】
本発明による空気調和装置の空気調和部（換気手段）１０は、建物の側壁の一方に、ハウジング（胴体部）１１が固設され、前記ハウジング（胴体部）１１内には、熱交換手段（蓄熱式熱交換素子）１２と給排気手段１３が設置されてなり、前記給排気手段１３は、双方向送風が可能な単一のファンからなるが、前記ファンは、可変ピッチ方式で給気と排気機能を行うことができる。
【００２４】
ここで、前記熱交換器手段（蓄熱式熱交換素子）１２は、パラフィンのような相変化物質（ＰＣＭ；Ｐｈａｓｅ  Ｃｈａｎｇｅ  Ｍａｔｅｒｉａｌ）からなる。
【００２５】
前記給排気手段１３を、第１のファン（給気ファン）１３’と第２のファン（排気ファン）１３’’に分け、前記熱交換手段（蓄熱式熱交換素子）１２の前方と後方にそれぞれ配置させてもよい。
【００２６】
以下、本発明の作動について詳述する。
【００２７】
冬季のように、外部空気が、暖房中である室内１００、１１０の空気よりも温度が低い場合、室内１００、１１０の換気のために、前記空気調和装置（換気手段）１０の給排気手段１３を作動して排気させると、室内１００、１１０の暖かい空気が前記熱交換手段（蓄熱式熱交換素子）１２を経由する過程において熱交換が行われ、前記熱交換手段（蓄熱式熱交換素子）１２は、一定の温度範囲内で蓄熱され、排出される空気の温度は、下降したまま室外に排出される。
【００２８】
これに対して、前記給排気手段１３を作動して給気させると、外部の冷たい空気が既に蓄熱されている熱交換手段（蓄熱式熱交換素子）１２を経由しながら熱交換が行われ、前記熱交換手段（蓄熱式熱交換素子）１２の温度は放熱により低下し、室内１００、１１０に給気される空気の温度は上昇する。
【００２９】
このように冬季には、前述した換気過程の繰り返しにより、室内１００、１１０に流入する空気は、常時、外気温度よりも高温の空気が流入する。
【００３０】
一方、夏季のように、外部空気が、冷房中である室内１００、１１０の空気よりも温度が高い場合、室内１００、１１０の換気のために、前記空気調和部（換気手段）１０の給排気手段１３を作動して排気させると、室内１００、１１０の冷たい空気が、前記熱交換手段（蓄熱式熱交換素子）１２を経由する過程において熱交換が行われ、前記熱交換手段（蓄熱式熱交換素子）１２は、一定の温度範囲内で蓄冷され、排出される空気の温度は、上昇したまま室外に排出される。
【００３１】
これに対して、前記給排気手段１３を作動して給気させると、外部の熱気が蓄冷貯蔵された熱交換手段（蓄熱式熱交換素子）１２を経由しながら熱交換が行われ、前記熱交換手段（蓄熱式熱交換素子）１２の温度は冷熱エネルギーの放出により上昇し、室内１００、１１０に給気される空気の温度は、下降する。
【００３２】
このように夏季には、前述した換気過程の繰り返しにより、室内１００、１１０に流入する空気は、常時、外気温度よりも低温の空気が流入する。
【００３３】
また、前記熱交換手段（蓄熱式熱交換素子）１２と給排気手段１３との間に蓄湿材（図示せず）を設け、顕熱だけでなく潜熱まで回収するともに、適切な室内１００、１１０の湿度を維持させることができ、別途のフィルタを設け、異物の室内１００、１１０への流入や前記熱交換手段（蓄熱式熱交換素子）１２が汚染することを防止することができる。
【００３４】
一方、本発明による給排気手段１３を第１のファン（排気ファン）１３’と第２のファン（給気ファン）１３’’に分けて構成する場合も、その換気原理は、前述と同様であるので、詳細な説明は省略する。
【００３５】
このように本発明による空気調和部（換気手段）１０を居間や部屋などの換気を必要とする室内１００、１１０に単独設置し、給気と排気を適切な時間の間繰り返し運転しながら、廃熱回収換気機能を行うことができるばかりでなく、図６に示すように、複数の空気調和部（換気手段）１０を制御部（制御手段）２０と電気的に連結させ、各室内１００、１１０、１２０に設置する場合、各空気調和部（換気手段）１０の風量バランスを取って、制御部（制御手段）２０により給気と排気を適切に制御すると、給気と排気の機能を同時に行うことができる。
【００３６】
併せて、一つの部屋に本発明による空気調和部（換気手段）１０を複数設置すると、従来の全熱交換器２００で行われる外気冷房のためのバイパス機能が容易になされるが、これは、前記空気調和部（換気手段）１０の排気または給気機能のいずれか一つの機能のみを作動させると、空気の流れが一方向に進行するとともに、一定の時間が経過すると、自然にパイパスを行うことができるようになる。
【００３７】
前記空気調和部（換気手段）１０は、本発明の要旨を逸脱しない範囲内で、その用途に応じて多様な風量を有する大きさに作製することができ、当業者により様々な変更実施が可能であることは勿論である。
【００３８】
以下、図７乃至図１３を参照して、本発明の実施の形態による空気調和装置の詳細構造及び動作について説明する。
【００３９】
本実施の形態の空気調和装置は、矩形状の中空の直方体からなり、両先端面には第１及び第２の孔３５１、３６１が形成され、一方が外部に通じるように配置され、他方が室内に通じるように配置されたハウジング３１０と、前記ハウジング３１０の内部に、前記第１の孔３５１に隣接して並設された第１のファン３２０及び第２のファン３３０と、前記第１のファン３２０及び第２のファン３３０において吸入及び放出する空気の熱及び湿気を吸入及び放出するように、第２の孔３５１側に設置された熱・湿気交換手段３４０を有する空気調和部３００と、室内に設置され、外部の信号に応じて、前記第１のファン３２０と第２のファン３３０の駆動周期または回転速度を制御するための制御信号を出力する制御部２０を有するコントロールボックスと、前記ハウジング３１０の第２の孔３５１側に設置された室外側温度センサ８１０と、室内の所定位置に設置された室内側温度センサ８２０と、を備えている。
【００４０】
前記熱・湿気交換手段３４０は、木炭で製造された板を所定の間隔で多段に重ねたフィルタであって、一つ以上の複数の前記熱・湿気交換手段３４０が設置されている。本実施の形態では、第１の熱・湿気交換手段３４１と第２の熱・湿気交換手段３４２が設置されていることを一例としているが、これに限定されるものではない。また、本実施の形態において、前記熱・湿気交換手段３４０は、木炭で製造された成形品を例としているが、これに限定されず、活性炭等の様々な材質の熱・湿気交換手段の実施の形態が可能である。
【００４１】
前記ハウジング３１０の長手方向の両先端には、貫通孔が形成された別途の側板が結合されて、第１及び第２の孔を形成することも可能であるが、これに限定されず、前記ハウジング３１０と一体に成形されることも可能である。
【００４２】
前記第１のファン３２０と第２のファン３３０は、シロッコファンであって、騒音が少なく、定圧が高いという利点がある。前記第１及び第２のファン３２０、３３０は、貫通孔（図示せず）が形成された区画板３３１により、熱・湿気交換手段３４０が設置された部分と区画され、前記区画板３３１の貫通孔により、熱・湿気交換手段３４０と、第１及び第２のファン３２０、３３０とが連通される。
【００４３】
前記ハウジング３１０の両先端には、給排気される空気の異物をろ過するためのフィルタ３２３、３２４が結合されている。
【００４４】
前記ハウジング３１０の外面には、熱の流入及び放出と結露を防止するために、保温材３７０が取り付けられ、図９のように、外面がカバー３９０で覆われ、シンプルな外面を有する。本実施の形態では、前記保温材３７０がハウジング３１０の外面に設置されることを一例としているが、これに限定されず、ハウジングの内面またはカバーの内面に設置されることも可能である。
【００４５】
また、ハウジング３１０の上面に結合部材３８０が設置され、天井４００に設置された別途の結合部材（図示せず）と結合し、図１０に示すように、天井４００に密着して設置される。
【００４６】
前記制御部２０は、別途のコントロールボックス（図示せず）として室内に設置され、ユーザの操作による操作信号を発生するユーザインターフェース（図示せず）と、動作状態をグラフィックに表示するためのディスプレイウィンドとを有し、前記室内温度センサ８２０は、前記コントロールボックス内に設置されることも可能である。前記室内温度センサ８２０は、必須構成要素ではない。すなわち、前記制御部２０に推奨される室内温度値を予め設定し、室外温度センサ８３０からの出力値を入力され、前記設定された室内温度値と比べて、第１のファン３２０と第２のファン３３０の駆動周期または回転速度を設定することも可能である。
【００４７】
図面符号３５０は、前記空気調和部３００を天井４００に設置するとき、壁４１０に挿入され、または壁４１０に設置された煙突（図示せず）に連結され、空気調和部３００と壁４１０の隙間への空気の離脱を防止するためのアダプタである。
【００４８】
図１１は、第１のファン５１０と第２のファン５２０との間に熱・湿気交換手段３４０が設置された状態を示す図であり、図１２は、前記第１及び第２のファン５１０、５２０が軸流ファンである空気調和部５００を示す図である。
【００４９】
以下、図７と図８に示す実施の形態を参照して詳細な動作を説明する。
【００５０】
上述したような空気調和装置は、第１のファン３２０と第２のファン３３０の動作により室内の空気が室外に排出され、または室外の空気が室内に流入される。この際、熱・湿気交換手段３４０の第１のフィルタ３４１と第２のフィルタ３４２により、空気中の熱を流入し、または空気中に熱を排出するが、前記第１のフィルタ３４１と第２のフィルタ３４２は、木炭で成形された板（図示せず）が多段に重ねており、前記板間を空気が通過するとき、空気中の熱・湿気を吸収または放出することができる。夏季の場合は、室外の空気を室内に流入するとき、室外の空気に含まれた熱を流入し、冷たい空気が室内に排出されるようにし、室内の空気を室外に排出するときは、前記流入された熱を排出し、冬季の場合は、前記夏季と相反して熱交換を行う。また、流入する空気の湿度に応じて、水分を放出または吸収し、湿度調節も可能である。
【００５１】
以下、図１４を参照して、前記空気調和装置の動作について説明する。
【００５２】
制御部２０は、ユーザの操作による駆動信号が入力されると、室内温度センサ８１０及び室外温度センサ８２０から温度値を入力され（Ｓ１）、室外温度が予め設定された温度未満であるかを判断し（Ｓ２）、室外の温度が設定温度未満であれば、無理な駆動による機器損傷を防止するために、駆動信号を発生しない。前記室外の温度が設定温度以上であれば、前記室内温度と室外温度との差の絶対値を演算する（Ｓ３）。前記演算された温度差の絶対値が、特定値の範囲内に存在すると、予め設定された時間の間、第１のファン３２０と第２のファン３３０が交互に動作するように制御信号を出力する。
【００５３】
一例を挙げて説明すると、前記演算された温度差の絶対値ΔＴが５℃以下であれば（Ｓ４）、時間ｔ１だけ（Ｓ５）、演算された温度差の絶対値ΔＴが５℃超過２０℃以下であれば（Ｓ９）、時間ｔ２だけ（Ｓ１０）、演算された温度差の絶対値ΔＴが２０℃超過であれば（Ｓ１１）、時間ｔ３だけ（Ｓ１２）、それぞれの第１のファン３２０と第２のファン３３０が交互動作するように制御信号を出力する。前記駆動時間ｔ１、ｔ２、ｔ３はｔ１＞ｔ２＞ｔ３である。
【００５４】
すなわち、室内と室外の温度差が小さいと、駆動時間を長くして充分な換気が行われるようにし、室内と室外の温度差が大きいと、駆動時間を短くして、流入する室外の空気により室内の温度が急に変化することを防止する。前記第１のファン３２０と第２のファン３３０の駆動中も、制御部２０は、室外温度が設定温度、すなわち、機器が損傷するだけの設定温度未満であれば、駆動を中止する信号を出力し、無理な駆動による機器の損傷を防止する。また、前記第１のファンと第２のファンを交互に駆動するとき、所定の設定時間の駆動間隔を置いて、各ファンのストレスを最小化する。すなわち、図１２に示すように、第１のファン５１０と第２のファン５２０が並設された場合、第１のファン５１０が吸気のための駆動を終えた後、第２のファン５２０が直ちに排気のための駆動を開始すると、第１のファン５２０に逆方向空気が流入し、機器に不要な負荷を与えるため、吸気動作と排気動作との間に所定の設定時間のギャップを置いて、各ファンに印加される不要なストレスを最小化する。
【００５５】
図１５は、本発明の実施の形態による室内温度及び湿度調節システムを説明するための簡略図である。
【００５６】
図６と図１５に示すように、複数の空気調和部３００ａ、３００ｂ、３００ｃが設置された空間において、各空気調和部の制御部２０にファンの回転速度を調節するための命令を伝送する制御ユニット９００がさらに設けられている。この制御ユニット９００は、室内の換気を迅速に行うために、吸気される空気の量と排気される空気の量が実質的にほぼ同一になるように、それぞれの空気調和部３００ａ、３００ｂ、３００ｃの第１のファン３２０及び第２のファン３３０の回転速度を制御する信号を出力する。例えば、同一容量の空気を吸入及び排出する３つの空気調和部のうち２つの空気調和部が１００（ｍ３／ｈ）の空気を吸入すると、残り一つの空気調和部が１００（ｍ３／ｈ）だけの空気を排出するように、第１のファン及び第２のファンを２倍の回転速度で動作させる。また、設置された空気調和部のファンの風量に応じて制御することも可能である。すなわち、５０（ｍ３／ｈ）だけの空気を吸入及び排出することができる２つの空気調和部、１００（ｍ３／ｈ）だけの空気を吸入及び排出することができる１つの空気調和部が設けられた空間内において、前記５０（ｍ３／ｈ）容量の２つの空気調和部が吸入動作を行うと、１００（ｍ３／ｈ）容量の空気調和部を排気動作を行うように設定することも可能である。
【００５７】
また、本実施の形態による室内温度及び湿度調節システムは、厨房に設置されたレンジフード７００と連動することも可能である。前記レンジフード７００は、下部で調理される飲食物の臭いを除去するために室外側に排気させるので、制御ユニット９００は、レンジフード７００の駆動を監視し、レンジフード７００が駆動すると、空気調和部３００の制御部２０に吸入動作信号を出力し、レンジフード７００により、調理臭が排出され、空気調和部３００により新鮮な空気が流入し、室内の調理臭を迅速に除去することができる。
【００５８】
（産業上の利用可能性）以上、本発明の空気調和装置によれば、室内空間にコンパクトに設置され、外部をカバーで覆うので、従来の複雑な空気流路管を設置する必要がなく、設置が簡便であり、美観を損なわないという長所がある。
【００５９】
また、吸入及び排気される空気の熱伝達のために、炭材質のフィルタを用いることにより、エネルギーが節約されるとともに、湿度調節が容易であるという長所がある。
【００６０】
また、室内温度と室外温度を測定し、前記両温度の差を考慮して、吸気及び排気時間が調節されるので、室内外の温度差が大きい季節には、エネルギーの浪費が防止され、最大の換気効果を得ることができる。
【００６１】
また、室外温度が予め設定された温度未満である場合、空気調和装置を動作させないことにより、無理な駆動のために空気調和装置が損なわれる問題点を遮断する。
【００６２】
また、複数の空気調和装置を含む室内温度及び湿度調節システムにおいて、室内空間で吸気及び排気が同時に行われるとき、それぞれの吸気圧力及び排気圧力が実質的に同一になるようにし、室内空気の換気効率を極大化するという長所がある。
【００６３】
また、厨房に設置されたレンジフードと連動し、レンジフードの排気動作の際に、空気調和装置が吸気動作をするようにし、調理臭を迅速に除去することができるという長所がある。
【００６４】
上述され、図示された本発明の一実施の形態は、本発明の技術的思想を限定するものと解釈されてはならない。本発明の保護範囲は、請求の範囲に記載された事項のみによって制限され、本発明の技術の分野における通常の知識を有する者は、本発明の技術的思想を様々な形態に改良及び変更することが可能である。したがって、このような改良及び変更は、通常の知識を有する者にとって自明なことであれば、本発明の保護範囲に属するものである。
【図面の簡単な説明】
【００６５】
【図１】従来の換気システムが設置された建物の様子を示す設置状態図である。
【図２】従来の全熱交換器の構造を示す概略断面図である。
【図３】本発明の実施の形態による空気調和装置が設置された様子を示す設置状態図である。
【図４】本発明の第１の実施の形態による空気調和部の構造を示す概略断面図である。
【図５】本発明の第２の実施の形態による空気調和部の構造を示す概略断面図である。
【図６】本発明による複数の空気調和部が設置された状態を示す図である。
【図７】本発明の第３の実施の形態による空気調和部を示す詳細斜視図である。
【図８】図１に示した空気調和部の分解斜視図である。
【図９】本発明の第３の実施の形態による空気調和部にカバーが覆われた状態を示す図である。
【図１０】図９の設置状態を示す図である。
【図１１】本発明の第３の実施の形態による空気調和部を示す斜視図である。
【図１２】本発明の第４の実施の形態による空気調和部を示す斜視図である。
【図１３】本発明の実施の形態による空気調和装置の制御方法を説明するためのブロック図である。
【図１４】本発明の実施の形態による空気調和装置の制御方法を示すフローチャートである。
【図１５】本発明の実施の形態による室内温度及び湿度調節システムを説明するための簡略図である。
【図１】
2007510885.tif 000003
【図２】
2007510885.tif 000004
【図３】
2007510885.tif 000005
【図４】
2007510885.tif 000006
【図５】
2007510885.tif 000007
【図６】
2007510885.tif 000008
【図７】
2007510885.tif 000009
【図８】
2007510885.tif 000010
【図９】
2007510885.tif 000011
【図１０】
2007510885.tif 000012
【図１１】
2007510885.tif 000013
【図１２】
2007510885.tif 000014
【図１３】
2007510885.tif 000015
【図１４】
2007510885.tif 000016
【図１５】
2007510885.tif 000017
【国際調査報告】
2007510885.tif 000018
2007510885.tif 000019